(57)【要約】      （修正有）【課題】三脚の脚部が伸縮可能な位置決め装置を提供する。【解決手段】本考案の三脚の脚部が伸縮可能な位置決め装置１は、外管１０と、内管１３と、内管１３と外管１０との間に設置されるスリーブ１１とを備える。内管１３は外管１０内で軸方向に移動し、位置決め装置１により内管１３及び外管１０の長さが調整された後に定位される。スリーブ１１は内管１３と外管１０との間に被装され、内管１３が外管１０から引き出されることが制限される。これにより、応用において前記脚部の高さを調整可能になり、収納または包装時の体積が減少する。【選択図】図６
0003213727.tif 000002
【実用新案登録請求の範囲】
【請求項１】
接合端を有し、前記接合端の管の外壁には位置決め孔を有する外管と、
一端が前記外管の前記接合端の内側に挿入され、接合機構により前記外管に結合されるスリーブであって、前記スリーブの管壁には係合部が設けられ、前記係合部は前記スリーブ内部の端に向けて係合棒が突出され、前記係合棒の頂端にはストッパー面を有し、底端には押し抜き面を有することと、
第一端及び前記第一端に対応する第二端を有し、前記第一端は前記スリーブ及び前記外管の接合端の内側に挿入され、且つ回転せずに前記外管内で軸方向にのみ移動するように制限される内管であって、前記第一端の内部には弾性留め具が設置され、前記弾性留め具は位置決めピンを有し、前記位置決めピンは前記弾性留め具の弾力により押されて前記内管の第一端の外に突出され、且つ前記位置決めピンは前記位置決め孔とは直線的に配列され、前記第一端の管の外壁には前記係合棒に対応する位置にストッパー部が設けられ、且つ前記ストッパー部は前記ストッパー面の上方に位置されることとを備えることを特徴とする三脚の脚部が伸縮可能な位置決め装置。
【請求項２】
前記接合機構は係合孔と、係合ボタンと、係合溝と、係合板を備え、前記係合孔は前記外管の管壁に設けられると共に前記位置決め孔の下方に位置され、前記係合ボタンは前記スリーブの外壁から外に向けて延出され、且つ前記係合孔に対応するように設置され、前記係合ボタンの外壁には押し抜き壁を有し、前記係合溝は前記外管の接合端の管口の位置に設けられ、且つ軸方向に延伸され、前記係合板は前記スリーブの外壁に設置されると共に前記係合部と同体で外に向けて延伸され、前記係合板は前記係合溝内に挿入されることを特徴とする、請求項１に記載の三脚の脚部が伸縮可能な位置決め装置。
【請求項３】
前記外管は前記接合端に対応する他端の管壁に貫通孔が少なくとも設けられ、前記貫通孔は前記位置決め孔及び前記位置決めピンとは直線的に配列されることを特徴とする、請求項１または２の何れか１項に記載の三脚の脚部が伸縮可能な位置決め装置。
【請求項４】
前記内管の第一端の管の外壁は前記溝部の上方に位置されると共に前記係合部に対応し、内側に凹む案内凹面を有し、前記内管が前記スリーブの内側に挿入される際に前記係合棒が溝部内に進入するように案内されることを特徴とする、請求項３に記載の三脚の脚部が伸縮可能な位置決め装置。
【請求項５】
前記弾性留め具はU字型のような弾性留め具であり、前記弾性留め具の一端は前記内管の管の内壁に当接され、他端には前記位置決めピンが固定されることを特徴とする、請求項１に記載の三脚の脚部が伸縮可能な位置決め装置。
【請求項６】
前記スリーブの管壁は予備孔を有し、前記位置決めピンは前記予備孔を貫通させた後に前記内管の管外に延出されることを特徴とする、請求項１または５の何れか１項に記載の三脚の脚部が伸縮可能な位置決め装置。
【請求項７】
前記内管が円管である場合、前記内管の管の外壁には前記係合棒に対応する位置に軸方向に延伸される溝部が凹設され、前記係合棒は前記溝部内に嵌入され、前記内管が前記外管内で軸方向にのみ移動すると共に回転しないように制限されることを特徴とする、請求項１、２、または５の何れか１項に記載の三脚の脚部が伸縮可能な位置決め装置。
【考案の詳細な説明】
【技術分野】
【０００１】
本考案は、三脚の脚部が伸縮可能な位置決め装置に関し、更に詳しくは、三脚の高さを調整することで前記三脚の積載物の高さを調整でき、且つ脚部の伸縮を調整可能とすることで包装する場合の体積を減少させる三脚の脚部が伸縮可能な位置決め装置に関する。
【背景技術】
【０００２】
三脚には扇風機等の積載物が載せられる。前記積載物が工業用のファンである場合、前記工業用ファンはモーターのトルクが大きいため、その支持に用られる三脚が主に放射状に配列されて支持面積を増やしており、重心が不安定になって落下する危険性を防いでいる。前記従来の工業用ファンの三脚は、ファンを使用していない場合は前記三脚が折り畳まれるようになっている。製造においては、前記三脚の支持脚の頂端と台座との間は枢着装置により両者が枢着され、ファンの未使用時にはこれら前記支持脚が中間に向けて折り畳まれるようになっている。
【考案の概要】
【考案が解決しようとする課題】
【０００３】
しかしながら、前述した従来のファンに用いられる三脚はその長さが固定されているため、収納や包装して出庫する際に三脚が空間を広く占拠してしまい、包装や収納が難しくなり、包装コスト及び時間の増加につながった。また、前記三脚の長さが固定されているため、ファンの高さも調整できず、柔軟に使用できないため、改善が待たれた。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものであり、その目的とするところは、三脚の脚部が伸縮可能な位置決め装置を提供する。三脚の高さを調整することで前記三脚の積載物の高さも調整される。また、前記三脚を構成する脚部が伸縮を調整可能であるため、前記三脚が包装される際の体積も減らせる。
【課題を解決するための手段】
【０００６】
上述した課題を解決し、上記目的を達成するため、本考案に係る三脚の脚部が伸縮可能な位置決め装置の特徴は、外管と、スリーブと、内管とを備える。前記外管が前記内管に接合される接合端の外壁には位置決め孔を少なくとも有する。前記スリーブの一端は前記外管の内側に挿入され、接合機構により前記外管に結合される。前記スリーブの管壁には係合部が設けられ、前記係合部は前記スリーブ内部の端に向けて係合棒が突出される。前記係合棒の頂端にはストッパー面を有し、底端には押し抜き面を有する。前記内管は第一端及び前記第一端に対応する第二端を有し、前記第一端は前記スリーブ内に挿入され、前記第一端内部には弾性留め具が設置される。前記弾性留め具の一端には位置決めピンを有し、前記位置決めピンは前記弾性留め具により押されて前記第一端の外壁の外に延出される。前記位置決めピンは前記位置決め孔とは直線的に配列される。前記第一端の管の外壁には前記係合棒に対応する位置にストッパー部を有し、前記ストッパー部は前記ストッパー面の上方に位置され、前記内管往が外に引っ張られた際に前記スリーブから脱離するのを防ぐ。前記三脚の長さを長くする場合、前記内管の第二端を外に向けてストッパー部がストッパー面に接触するまで引っ張り、同時に位置決めピンを位置決め孔内に滑り込ませ、前記内管及び外管を定位させて前記三脚の高さを高くする。前記三脚の高さを短縮する場合、前記位置決めピンを押して外管内に押し入れると、前記内管の第二端が押されて前記内管が外管内に押し入れられる。こうして前記内管が外管内に入れられ、前記三脚の長さが短縮され、収納や包装時の体積を減らせる。
【考案の効果】
【０００７】
本考案は以下の長所及び効果を有する。
１．内管が外管内に収まり、収納や包装時の体積が減少して空間を占領しなくなる。
２．脚部の長さが調整可能であり、使用者が柔軟に使用できる。
【図面の簡単な説明】
【０００８】
【図１】本考案の好ましい実施形態の三脚が開かれた外観斜視図である。
【図２】本考案の好ましい実施形態の単一脚部の組み立てを示す傾斜図である。
【図３】本考案の好ましい実施形態の単一脚部を他の角度から見た組み立てを示す傾斜図である。
【図４】本考案の好ましい実施形態の単一脚部を示す分解図である。
【図５】本考案の好ましい実施形態の単一脚部を他の角度から見た分解図である。
【図６】本考案の好ましい実施形態の単一脚部を示す断面の分解図である。
【図７】本考案の好ましい実施形態の内側脚部を限界状態まで引き出される断面図である。
【図８】本考案の好ましい実施形態の内側脚部が外側脚部に装入される動作図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１０】
以下、本考案を図１〜８に基づいて説明する。まず、本考案の三脚２は、台座２ａ及び複数の脚部２ｂを備える。これら前記脚部２ｂの頂端は前記台座２ａに枢着され、放射状を呈すると共に外に向けて斜めに延伸するように設置される。前記各脚部２ｂは外管１０及び内管１３を含み、前記内管１３と前記外管１０との間は位置決め装置１により結合されて定位される（図１乃至図３参照）。
【００１１】
前記内管１３は円管を例とし、前記位置決め装置１は以下の部材を備える。
前記外管１０が前記内管１３に接合される端には接合端１０２を有し、前記接合端１０２の外壁には位置決め孔１００を有する（図４及び図５参照）。前記外管１０は前記接合端１０２に対応する他端１０３の外壁に少なくとも１つの貫通孔１０１を有し（図３参照）、前記位置決め孔１００は前記貫通孔１０１とは直線的に配列される。
【００１２】
スリーブ１１（図４乃至図６参照）の一端は前記外管１０の前記接合端１０２の内側に挿入され、接合機構１２は前記接合端１０２に結合される。前記スリーブ１１の管壁には係合部１１０が設けられ（図６参照）、前記係合部１１０は前記スリーブ１１内部の端に向けて係合棒１１１が突出される。前記係合棒１１１の頂端にはストッパー面１１２を有し、前記係合棒１１１の底端の内面には押し抜き面１１３を有する。
【００１３】
内管１３は第一端１３ａ及び前記第一端１３ａに対応する第二端１３ｂを有し、前記第一端１３ａは前記スリーブ１１内に挿入される。前記内管１３の第一端１３ａ内部にはＵ字型のような弾性留め具１４が設置され、前記弾性留め具１４の一端は前記内管１３の管の内壁に当接され、他端には位置決めピン１４０を有する。前記位置決めピン１４０は前記弾性留め具１４により押されて、前記スリーブ１１の予備孔１１４を貫通させた後に前記第一端１３ａの外壁の外に延出される。前記位置決めピン１４０は前記位置決め孔１００及び前記貫通孔１０１とは直線的に配列される。前記内管１３の管の外壁には前記係合棒１１１に対応する位置に溝部１３０が凹設され、前記係合棒１１１は前記溝部１３０内に嵌入され、前記内管１３が前記外管１０内で軸方向にのみ移動するように制限される。前記溝部１３０の頂端は径方向に内壁にストッパー部１３１が構成される（図６参照）。前記内管１３が極限まで外に引っ張られると、前記ストッパー部１３１がストッパー面１１２に接触し、これにより前記内管１３が前記外管１０から脱離することが防止される（図６参照）。前記内管１３の第一端１３ａの管の外壁は前記溝部１３０の上方に位置されると共に係合部１１０に対応し、内側に凹む案内凹面１３２を有し、前記内管１３の第一端１３ａが前記スリーブ１１の内側に挿入される際に前記係合棒１１１が溝部１３０内に進入するように案内される （図７参照）。また、前記係合棒１１１が溝部１３０に進入する前に、前記係合棒１１１がプラスチック材質で弾性を有するという特性により、前記弾性の特性により外に張り出されて案内凹面１３２と溝部１３０との間の内管１３の管壁をスライドして溝部１３０に係合されて定位される。
【００１４】
図４乃至図６に示すように、前記接合機構１２は、係合孔１２０と、係合ボタン１２１と、係合溝１２２と、係合板１２３とを備える。前記係合孔１２０は前記外管１０の管壁に設けられると共に前記位置決め孔１００の下方に位置される。前記係合ボタン１２１は前記スリーブ１１の外壁から外に延出され、前記係合孔１２０に対応するように設置される。前記係合ボタン１２１の外壁には押し抜き壁１２１０を有し、前記係合ボタン１２１が前記外管１０の接合端１０２からスムーズに挿入するように案内された後、前記係合孔１２０内に係合される。前記係合溝１２２は前記外管１０の接合端１０２の管口の位置に設置され、軸方向に延伸される。前記係合板１２３は前記スリーブ１１の外壁に設置されると共に前記係合部１１０と同体で外に延伸され、前記係合板１２３は前記係合溝１２２内に挿入されて結合される。上述の接合機構１２の設置により、係合ボタン１２１が係合孔１２０内に係入され、係合板１２３が係合溝１２２内に嵌入され、前記スリーブ１１が外管１０の接合端１０２に堅固に結合されて、両者の間では回転が生じなくなる。
【００１５】
図７及び図８に示すように、使用者が内管１３の長さが長すぎると感じた場合、前記位置決めピン１４０を押して位置決めピン１４０を位置決め孔１００から離間させると共に前記外管１０内に入れると、内管１３の第二端１３ｂが上に押され（図８参照）、且つ前記内管１３の溝部１３０が係合棒１１１に沿って上に向けて軸方向に移動し、前記外管１０内に入れられ、位置決めピン１４０が貫通孔１０１の箇所に位置を合わせて貫通孔１０１内に挿入される。これにより前記外管１０内に入れられた内管１３の長さが調整されると共に定位され、前記内管１３の第二端１３ｂは外管１０の外に位置される。こうして脚部２ｂの高さが調整され、または収納或いは包装されて出庫される際の体積が減少する。使用者が脚部２ｂの長さが短すぎると感じた場合、前記位置決めピン１４０を押して位置決めピン１４０を貫通孔１０１から離間させると共に前記外管１０内に入れると、内管１３の第二端１３ｂが下に向けて引っ張られ、溝部１３０が係合棒１１１に沿って下に向けて軸方向に移動する。位置決めピン１４０が位置決め孔１００の位置まで移動すると共に位置決め孔１００内に挿入されると、内管１３の位置が定位される。これにより脚部２ｂの高さが増す（図３及び図７参照）。また、内管１３が引き出されると、係合棒１１１のストッパー面１１２が溝部１３０のストッパー部１３１に接触し、前記内管１３が下に向けて軸方向に移動しなくなり（即ち、ストッパー部１３１は内管１３が軸方向に外に向けて引き出される限界点となる）、内管１３が外管１０から脱離しなくなる。
【００１６】
次いで、上述の外管１０及び内管１３は管型が円管である場合の例であるが、管型が角管等の非円管である場合、上述の回転防止機構を設置させる必要がない。例えば、係合棒１１１が溝部１３０内に嵌入するように設置される必要がなく、前記内管１３の管壁に溝部１３０を設ける必要もない。
【００１７】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１８】
２  三脚
２ａ  台座
２ｂ  脚部
１０  外管
１３  内管
１  位置決め装置
１０２  接合端
１００  位置決め孔
１０３  他端
１０１  貫通孔
１１  スリーブ
１２  接合機構
１１０  係合部
１１１  係合棒
１１２  ストッパー面
１１３  押し抜き面
１３  内管
１３ａ  第一端
１３ｂ  第二端
１４  弾性留め具
１４０  位置決めピン
１１４  予備孔
１３０  溝部
１３１  ストッパー部
１３２  案内凹面
１２０  係合孔
１２１  係合ボタン
１２２  係合溝
１２３  係合板
１２１０  押し抜き壁
【図１】
0003213727.tif 000003
【図２】
0003213727.tif 000004
【図３】
0003213727.tif 000005
【図４】
0003213727.tif 000006
【図５】
0003213727.tif 000007
【図６】
0003213727.tif 000008
【図７】
0003213727.tif 000009
【図８】
0003213727.tif 000010
【手続補正書】
【提出日】平成29年9月19日(2017.9.19)
【手続補正１】
【補正対象書類名】実用新案登録請求の範囲
【補正対象項目名】請求項４
【補正方法】変更
【補正の内容】
【請求項４】
前記内管の第一端の管の外壁は溝部の上方に位置されると共に前記係合部に対応し
、内側に凹む案内凹面を有し、前記内管が前記スリーブの内側に挿入される際に前記係合棒が溝部内に進入するように案内されることを特徴とする、請求項３に記載の三脚の脚部が伸縮可能な位置決め装置。